(57)【要約】  【課題】  従来のテレビの画像表示部の画像表示可能領域の縦／横の比は３／４、あるいは、９／１６が一般的であるが、映画に代表されるシネマスコープサイズ（３／８）のコンテンツを再生する場合には、左右がカットされて再生されるか、あるいは、上下に黒い帯を挿入して再生されることになり、コンテンツの臨場感や迫力が失われることがある。  【解決手段】  本発明は、かかる実情に鑑み、画像表示可能領域を横に拡張することで、人間の視覚特性に基づいて、映画館での視聴に迫る臨場感や迫力を感じさせるディスプレイ装置を提案するものである。また、画像表示可能領域を左右に均等二分割し、異なるコンテンツを表示可能な子画像表示可能領域として表示することもできる。【選択図】            図２
2007093730.tif 000002
【特許請求の範囲】
【請求項１】
画像表示部の画像表示可能領域の縦／横の比が、１０９／３２０から１２９／３２０の範囲であるディスプレイ装置。
【請求項２】
前記画像表示部は、フラットパネルディスプレイである請求項１に記載のディスプレイ装置。
【請求項３】
前記フラットパネルディスプレイは、左右均等な大きさの２枚のパネル基板を利用したフラットパネルディスプレイである請求項１から３のいずれか一に記載のディスプレイ装置。
【請求項４】
画像表示部は、前記画像表示可能領域を左右に均等二分割し、異なるコンテンツを表示可能な子画像表示可能領域として表示するための分割手段を有する請求項１から４のいずれか一に記載のディスプレイ装置。
【発明の詳細な説明】
【技術分野】
【０００１】
本発明は、ディスプレイ装置に関するものである。
【背景技術】
【０００２】
従来、テレビの画像表示部の画像表示可能領域の縦／横の比は３／４であり、また、９／１６のワイドな画像表示部を有するテレビもすでに提案されている（例えば、特許文献１参照）。
【特許文献１】特開平２−２７２９８５号公報
【発明の開示】
【発明が解決しようとする課題】
【０００３】
しかしながら、映画に代表されるシネマスコープサイズ（３／８）のコンテンツを従来のテレビの表示装置にて再生する場合には、左右がカットされて再生されるか、あるいは、上下に黒い帯を挿入して再生されることになり、コンテンツの臨場感や迫力が失われることがある。
【課題を解決するための手段】
【０００４】
本発明は、かかる実情に鑑み、画像表示可能領域を横に拡張することで、人間の視覚特性に基づいて、映画館での視聴に迫る臨場感や迫力を感じさせるディスプレイ装置を提案するものである。つまり、画像表示部の画像表示可能領域の縦／横の比が、１０９／３２０から１２９／３２０の範囲とする。
【０００５】
また、画像表示可能領域を左右に均等二分割し、異なるコンテンツを表示可能な子画像表示可能領域として表示することもできる。
【発明の効果】
【０００６】
以上、説明したように本件発明のいずれか一又は二以上の発明に係るディスプレイ装置においては、従来のディスプレイ装置よりも横広な表示領域を確保できることで、映画館での視聴に迫る臨場感や迫力を感じさせることができる。また、シネマスコープサイズのコンテンツも黒帯を挿入することなく完全に映し出すことができるため、臨場感、没入感が高まることが期待できる。
【０００７】
さらに、画像表示可能領域を左右に均等二分割し、異なるコンテンツを表示可能な子画像表示可能領域として表示する場合には、これまでの３／４の放送を２画面にて完全に映し出すことが可能となるため、多チャンネル時代の利用者のニーズに適合することが期待できる。また、放送と情報（ＰＣ画面、電子番組表、操作メニューなど）を同時に利用することにより、新しいエンターテイメントを確立できる。
【発明を実施するための最良の形態】
【０００８】
以下に、各発明を実施するための最良の形態を説明する。なお、本発明はこれら実施の形態に何ら限定されるものではなく、その要旨を逸脱しない範囲において、種々なる態様で実施しうる。
【０００９】
実施形態１は、主に請求項１から３などについて説明する。  実施形態２は、主に請求項４などについて説明する。
【００１０】
<<実施形態１>>
【００１１】
<実施形態１：概要>  実施形態１について説明する。本実施形態は、画像表示部の画像表示可能領域の縦／横の比が、１０９／３２０から１２９／３２０の範囲であることに特徴を有するディスプレイ装置である。
【００１２】
図１は、本実施形態のディスプレイ装置の一例を示すものである。画像表示可能領域の縦横比が３／４である従来のディスプレイ装置を横に２つ並べたものと同程度の大きさを有することを示した。
【００１３】
<実施形態１：構成>  本実施形態での機能ブロックの一例を図２に示した。  図２に示す本実施形態の「ディスプレイ装置」（０２００）は、「画像表示部」（０２０１）を有する。
【００１４】
「画像表示部」（０２０１）は、画像を表示する。このとき、画像表示可能領域の縦／横の比を１０９／３２０から１２９／３２０の範囲とすることに特徴を有する。まず、前提として、映画などで撮影の際に用いられるフレームサイズには画像表示可能領域の縦横比が３／４のスタンダードサイズの他に、横方向に幅広のワイドスクリーンサイズがある。後者はさらに、フィルムの一部をマスキングするビスタサイズ（ほぼ９／１６）と、歪曲像レンズを用いるシネマスコープサイズ（ほぼ３／８）に大別できる。使用するフィルム自体は同じでも、画を焼きこむことのできる部分を最大限に利用したのがスタンダードサイズで、フィルムの上下に黒帯を入れて横長の画面を映し出すのがビスタサイズである。また、シネマスコープサイズは、縦方向と横方向の圧縮率が異なるレンズである歪曲像レンズで横長の画面を実現する方式である。歪曲像レンズで撮影された映像はフィルム上では縦方向に圧縮されており、再生時に同じレンズにて正しい比率の映像にする。スタンダードサイズ、ビスタサイズ、シネマスコープサイズの順に横方向に幅広になる。
【００１５】
人間の視覚特性によると、ディスプレイ装置の映像が横長になるにつれ、より臨場感や迫力を感じることが知られている。またこれには一応の臨界点があり、それがシネマスコープサイズである。したがって、本件発明は最適の環境にてコンテンツの再生が可能となるディスプレイ装置を提案するものである。
【００１６】
本件発明者らが、被験者に複数のサイズの画像を視聴させて臨場感を感じる程度に関する研究を行なってきた結果、画像表示部の画像表示可能領域の縦／横の比が、１０９／３２０から１２９／３２０の範囲が最も被験者に臨場感を与えるとの結果を得た。１０９／３２０よりも小さい領域では、画面を大きくする労力に対する臨場感の向上度合が小さくなる。一方、１２９／３２０よりも縦横比が大きい領域では、次第に従来からあるディスプレイ装置との臨場感の向上度合に差がなくなってくる。ちょうど、画像表示部の画像表示可能領域の縦／横の比が、１０９／３２０から１２９／３２０の範囲がもっとも効率的に被験者の臨場感を向上させることが可能であった。
【００１７】
図３に、簡単な実験を行った結果を示した。７人の被験者に対して同一のコンテンツ（「時代を駆け抜けた名馬たち」ＪＲＡ）を、６種類のサイズ（縦／横比：３／４、９／１６、１２９／３２０、３／８、１０９／３２０、８０／３２０）にて視聴させ、迫力感が出ている順に順位付けをしてもらった。７人の被験者のうち６人までが、最も迫力を感じるとしたのは、１０９／３２０から１２９／３２０の範囲のサイズであることが分かった。また、全体としても１０９／３２０から１２９／３２０の範囲のサイズでは、高い順位を占めていることは明らかである。
【００１８】
なお、「画像表示部の画像表示可能領域」とは、ディスプレイの有効表示面積をいう。つまり、ディスプレイの表示領域の一部に黒帯などのマスク領域を表示して実質的に表示の縦横比を小さくする（横長にする）ことは本件発明の範囲外である。発明者らは、全く同じ縦横比の表示であっても、黒帯を使わないことによって、これを使って表示するものに比べて著しく臨場感が向上することを見出した。これは人間の目の特性から黒帯でマスクされているとはいえ、その部分に黒い映像が写し出されていることを潜在意識的に感じ取り、その部分も含めて画像であると認識していることに由来するためであると想像される。
【００１９】
人間の臨場感というものは、通常の目の働きにて外界を目視することにどれくらい近づくことが出来るかによって得られるものであるから、たとえ黒い領域であってもそこに映像があると感じてしまえば通常の目の働きにて外界を視認する場合に比べて違和感が起こり自然と臨場感が減少してしまう。これに対してディスプレイの画像表示可能領域の縦横比が本件発明の範囲であって、それ以外の領域はあくまでもディスプレイ筐体の縁取領域である場合には潜在心理的に画像が表示される領域がその縁取内部であると感じると想像され、そのディスプレイの表示領域の縦横比が発明の範囲内（横長：１０９／３２０から１２９／３２０の範囲）の場合には、人間の目の左右上下の視認限界領域との相似性から臨場感が極めて顕著になると想像される。発明者らもなぜこのようなことが生じるかについての明確な理論は解明できていないが、想像するに画像の表示領域と、画像の表示領域でない領域との心理的な識別性が問題であると推定される。
【００２０】
つまり、例えば同じ液晶ディスプレイ内に映像を表示する領域と、映像を表示しない領域とを混在させても、その境界の識別性は比較的小さく、これに対して、液晶ディスプレイと、これを収納している筐体の縁取領域とは、その境界の識別性が比較的大きくなるためだと思われる。
【００２１】
本件発明はこの点に着目してなされたもので、画像表示部の画像表示可能領域の縦／横の比を問題とし、単に「画像の縦横比」を問題としていないのはこのためである。仮に従来の技術中に表示画像領域の縦横比に言及しているものがあったとしても、本件発明のようにはっきりと「画像表示部の画像表示可能領域」に着目して、これを最適化した技術はないものと思われる。
【００２２】
さらに、図４に示すように、画像表示部はフラットパネルディスプレイであることが望ましい。ディスプレイ装置の背景部分の奥行きが映像の視覚（迫力など）に影響を及ぼすことを考慮したものである。ディスプレイ装置の背景部分においては、壁との奥行きが少ない方（図４ａの方）がより迫力があるといえる。なぜなら、ディスプレイ装置が壁の近くに設置されているほど、ディスプレイに表示されている画像と、画像を構成しない筐体の縁取領域との境界が明確に意識されるからと想像される。また、筐体の奥行きは、近年装置のコンパクト化にともなってどんどん狭くなる傾向があるが、この領域が狭くなればなるほど、背景と渾然一体として人の目に認識されるという事態にいたる。つまり、画像表示可能領域とそれ以外の領域とは、人の目にとってはディスプレイの画像表示領域と、背景部分という感じ方になってくる。そうなると、背景部分の空間を意識すべき空間として捉えないようにするためには、その領域が平坦な壁状であることが望ましいが、これを可能とするためには出来るだけ画像表示可能領域と壁との間隔を近づけるのがよい。つまり、ＣＲＴ型のディスプレイでなく、フラットパネル型のディスプレイのほうがより臨場感を得やすいという結果となる。なお「フラットパネルディスプレイ」には、液晶ディスプレイ、プラズマディスプレイ、ＥＬディスプレイ、冷陰極マトリックス型ディスプレイ、など各種のものが含まれる。
【００２３】
さらに、フラットパネルディスプレイは、左右均等な大きさの２枚のパネル基板を利用したフラットパネルディスプレイことが想定される。つまり、３／４のスタンダードサイズのフラットパネルディスプレイを２枚用いて、１０９／３２０から１２９／３２０のサイズのフラットパネルディスプレイを実現する。
【００２４】
<実施形態１：効果>  本実施形態は、画像表示部の画像表示可能領域の縦／横の比が、１０９／３２０から１２９／３２０の範囲であることに特徴を有するディスプレイ装置である。従来のディスプレイ装置よりも横広な表示領域を確保できることで、映画館での視聴に迫る臨場感や迫力を感じさせることができる。また、シネマスコープサイズのコンテンツも黒帯を挿入することなく完全に映し出すことができるため、臨場感、没入感が高まることが期待できる。
【００２５】
<<実施形態２>>
【００２６】
<実施形態２：概要>  実施形態２について説明する。本実施形態は、画像表示可能領域を左右に均等二分割し、異なるコンテンツを表示可能な子画像表示可能領域として表示することに特徴を有するディスプレイ装置である。
【００２７】
<実施形態２：構成>  本実施形態での機能ブロックの一例を図５に示した。  図５に示す本実施形態の「ディスプレイ装置」（０５００）は、「画像表示部」（０５０１）を有し、画像表示部は「分割手段」（０５０２）を有する。
【００２８】
「分割手段」（０５０２）は、前記画像表示可能領域を左右に均等二分割し、異なるコンテンツを表示可能な子画像表示可能領域として表示するための処理を行う。分割された画像表示可能領域は、それぞれ３／４のスタンダードサイズの領域となる。この領域には、図６（ａ）で示したように３／４のスタンダードサイズの表示を行うとしてもよいし、（ｂ）のように９／１６のビスタサイズの表示を行うとしてもよい。また、片方がスタンダードサイズの表示で、他方がビスタサイズの表示であるとしてもよい。
【００２９】
さらに、表示するコンテンツは、放送に限らず、ＰＣ画面、電子番組表、操作メニューなどの情報なども含まれる場合がある。また、表示するコンテンツは画面上下を適宜カットして、左右を拡大するとしてもよい。分割表示は、利用者などの操作に基づいて行われる。それぞれの画面に表示するコンテンツや、サイズも利用者が選択できる。
【００３０】
まず、表示するデータは一旦メインメモリなどに蓄積される。その後、表示プロセッサによって読み出されたデータに対して拡大・縮小などの操作が行われ、変換回路を経て通常はＲＧＢ形式のデータに変換される。画像表示可能領域を左右に均等二分割し、子画像表示可能領域として表示する場合には、各子画面に表示するデータを適当なサイズに縮小等行い、ＲＧＢ形式のデータに変換した後、それぞれの表示領域に出力表示される。
【００３１】
<実施形態２：効果>  本実施形態は、画像表示可能領域を左右に均等二分割し、異なるコンテンツを表示可能な子画像表示可能領域として表示することに特徴を有するディスプレイ装置である。これまでの３／４の放送を２画面にて完全に映し出すことが可能となるため、多チャンネル時代の利用者のニーズに適合することが期待できる。また、放送と情報（ＰＣ画面、電子番組表、操作メニューなど）を同時に利用することにより、新しいエンターテイメントを確立できる。
【図面の簡単な説明】
【００３２】
【図１】実施形態１を説明するための概念図
【図２】実施形態１を説明するための機能ブロック図
【図３】実施形態１における実験結果を示した図
【図４】実施形態１のフラットパネルディスプレイの一例を示した図
【図５】実施形態２を説明するための機能ブロック図
【図６】実施形態２の子画面の一例を示した図
【符号の説明】
【００３３】
０２００    ディスプレイ装置
０２０１    画像表示部
【図１】
2007093730.tif 000003
【図２】
2007093730.tif 000004
【図３】
2007093730.tif 000005
【図４】
2007093730.tif 000006
【図５】
2007093730.tif 000007
【図６】
2007093730.tif 000008